(57)【要約】【課題】  本発明は、蓋を開放したときにその蓋によって収納部が使用状態である傾斜位置に支持される彫刻刀のケースであって、彫刻刀の出し入れがしやすいケースの提供を課題とする。【解決手段】  収納部と蓋とを含み、蓋を開放したときにその蓋によって収納部が使用状態である傾斜位置に支持される彫刻刀のケースであって、蓋は上蓋と下蓋とから成り、下蓋は収納部と連結され、上蓋は下蓋と連結され、上蓋が下蓋側の一端を中心に回動し下蓋が収納部側の一端を中心に回動することにより蓋は開放可能であり、収納部が使用状態の傾斜位置にあるときに、下蓋は収納部底面の下側に回し込まれており、上蓋はその下蓋とケースが置かれている面との間に介在している。【選択図】  図１３
2007307091.tif 000002
【特許請求の範囲】
【請求項１】
収納部と蓋とを含み、蓋を開放したときにその蓋によって収納部が使用状態である傾斜位置に支持される彫刻刀のケースであって、蓋は上蓋と下蓋とから成り、下蓋は収納部と連結され、上蓋は下蓋と連結され、上蓋が下蓋側の一端を中心に回動し下蓋が収納部側の一端を中心に回動することにより蓋は開放可能であり、収納部が使用状態の傾斜位置にあるときに、下蓋は収納部底面の下側に回し込まれており、上蓋はその下蓋とケースが置かれている面との間に介在していることを特徴とするケース。
【請求項２】
下蓋は収納部底面の下側に回し込まれて収納部底面に当接している請求項１記載のケース。
【請求項３】
収納部が使用状態の傾斜位置にあるときに、前記下蓋と上蓋とが重なった状態にあり、且つその状態を維持するための上下蓋係止構造が下蓋と上蓋との間に介在している請求項１又は請求項２記載のケース。
【請求項４】
蓋が収納部を閉鎖した状態のときに、上蓋と収納部とを係止状態とするための上蓋収納部係止構造が上蓋と収納部の間に介在している請求項１乃至請求項３記載のケース。
【請求項５】
上下蓋係止構造により重なっている上下蓋がケースから垂れ下がるように収納部を持ったときに、その垂下した上下蓋は鉛直線方向に延びず下蓋の回動中心を通る鉛直線よりも収納部側に傾斜するように延びる請求項３又は請求項４記載のケース。
【発明の詳細な説明】
【技術分野】
【０００１】
本発明は彫刻刀のケースに関し、特に蓋を開放したときにその蓋によって収納部が使用状態である傾斜位置に支持されるケースに関する。
【背景技術】
【０００２】
筆記ペンなどの棒状の品物のケースであって、蓋が上蓋と下蓋から成り、蓋を開放してから上蓋と下蓋を重ね、その重ねた蓋を立てて収納部を使用状態の傾斜位置に支持するケースは存在する（例えば、特許文献１参照。）。
また、一体形成された蓋を開放したときに、その蓋が収納部の底面の下側に折り込まれることによって収納部を使用状態の傾斜位置に支持するケースも存在する（例えば、特許文献２参照。）。
【特許文献１】特許第３５１７６３５号公報
【特許文献２】実公平４−２５６８号公報
【発明の開示】
【発明が解決しようとする課題】
【０００３】
本発明は、蓋を開放したときにその蓋によって収納部が使用状態である傾斜位置に支持される彫刻刀のケースであって、彫刻刀の出し入れがしやすいケースの提供を課題とする。
【０００４】
特許文献１のケースは、前述したように蓋が上蓋と下蓋から成り、蓋を開放してから上蓋と下蓋を重ね、その重ねた蓋を立てて収納部を使用状態の傾斜位置に支持する構造であって、上蓋の支持エッジが、ケースの傾斜位置で、挿入された棒状の品物を接触支持するように形成されている。
【０００５】
特許文献１のケースは、上蓋の支持エッジが、ケースの傾斜位置で、挿入された棒状の品物を接触支持する構造である。すなわち、ケースの傾斜位置で上下蓋がケースを支持するときに、上蓋の支持エッジが棒状の品物に当たっており、そのために上下蓋が安定した状態で立ってケースを支持しているということである。したがって、品物を収納部に挿入する開口の上下の幅は品物の上下幅と同じである。例えば品物が筆記具であるときは、筆記具はその先端に行くに従って徐々に細くなるように形成されているから、開口の上下幅が筆記具の最大上下幅と同じでも挿入する最初の段階で筆記具の先端が開口に引っ掛かることはない。しかし、彫刻刀の場合は、柄の先端側に太い部分が存在するように形成される。このように形成されている理由は、彫刻刀は押して使用するものであるから、先端に行くに従って細くすると柄を握っている手が滑ってしまうので、太い部分を設けて滑り止めとするのである。彫刻刀の柄はこのように形成されているから、特許文献１のケースを彫刻刀用のものとして使用すると、そのままでは柄の太い部分が支持エッジに引っ掛かって彫刻刀を引き出すことができない。引き出すためにはケースを手に持ちながら彫刻刀を引いて上蓋を強制的に押し下げることにより開口の上下幅を広げなければならない。実際上このような作業は面倒であるから、特許文献１のケースは筆記具には使用できても彫刻刀に使用することはできないのである。そこで、本発明は彫刻刀の出し入れがしやすいケースを提供することを目的とする。
【０００６】
また、通常の彫刻刀ケースは刃の種類の異なる複数本の彫刻刀を収納する構成である。そして、異なる刃を有する数種類の彫刻刀を収納部に入れて使用するときに、必要な彫刻刀を収納部から１本取り出して使用し、他の彫刻刀は収納部に入れた状態にしておく。他の彫刻刀を使用するときは、使用していた彫刻刀を収納部に挿入し、他の彫刻刀を収納部から引き出して使用する。しかし、場合によってはすべての彫刻刀を収納部から出して使用するときもある。
【０００７】
特許文献１のケースは、上蓋の支持エッジが棒状の品物に当たっており、そのために上下蓋が安定した状態で立ってケースを支持している。したがって、すべての棒状の品物を引き出してしまうと上蓋のエッジを接触支持する品物がないので、上下蓋は収納部の開口を塞ぐように回動してしまうのである。これでは、ケースを置いたままで再度品物を収納部に挿入することが出来ず不便である。そこで本発明は、すべての彫刻刀を収納部から引き出した後でも、ケースを置いたままで再度彫刻刀を収納部に挿入することができるケースを提供することを目的とする。
【０００８】
特許文献２は、一体形成された蓋を開放したときに、その蓋が収納部の底面の下側に折り込まれることによって収納部を使用状態の傾斜位置に支持する構造である。蓋が２つの部分に分かれていないから、常に一体に回動する。特許文献２の第４図に示された使用状態図では彫刻刀の柄が収納部から少しだけ突き出ているので、蓋を閉鎖状態から開放状態に回動したときに蓋が柄に当たることがなく、使用するに際し不都合は生じない。しかし、彫刻刀の柄の突き出しが少しであると、彫刻刀を引き出すときに柄がつかみづらい。したがって、柄は収納部からやや大きめに突き出すことが好ましいが、そのようにすると特許文献２のケースでは蓋を回動するときに蓋が柄に当たってしまうので柄の突き出しを大きくすることができない。そこで本発明は、収納されている柄がケースから突き出る突出量を大きくすることができるケースを提供することを目的とする。
【課題を解決するための手段】
【０００９】
本発明の請求項１は、収納部と蓋とを含み、蓋を開放したときにその蓋によって収納部が使用状態である傾斜位置に支持される彫刻刀のケースであって、蓋は上蓋と下蓋とから成り、下蓋は収納部と連結され、上蓋は下蓋と連結され、上蓋が下蓋側の一端を中心に回動し下蓋が収納部側の一端を中心に回動することにより蓋は開放可能であり、収納部が使用状態の傾斜位置にあるときに、下蓋は収納部底面の下側に回し込まれており、上蓋はその下蓋とケースが置かれている面との間に介在している構成である。
【００１０】
請求項２は、下蓋が収納部底面の下側に回し込まれて収納部底面に当接している要素が請求項１に付加された構成である。
【００１１】
請求項３は、収納部が使用状態の傾斜位置にあるときに、前記下蓋と上蓋とが重なった状態にあり、且つその状態を維持するための上下蓋係止構造が下蓋と上蓋との間に介在している要素が請求項１又は請求項２に付加された構成である。
【００１２】
請求項４は、蓋が収納部を閉鎖した状態のときに、上蓋と収納部とを係止状態とするための上蓋収納部係止構造が上蓋と収納部の間に介在している要素が請求項１乃至請求項３に付加された構成である。
【００１３】
請求項５は、上下蓋係止構造により重なっている上下蓋がケースから垂れ下がるように収納部を持ったときに、その垂下した上下蓋は鉛直線方向に延びず下蓋の回動中心を通る鉛直線よりも収納部側に傾斜するように延びる要素が請求項３又は請求項４に付加された構成である。
【発明の効果】
【００１４】
請求項１は、収納部と蓋とを含み、蓋を開放したときにその蓋によって収納部が使用状態である傾斜位置に支持される彫刻刀のケースであって、蓋は上蓋と下蓋とから成り、下蓋は収納部と連結され、上蓋は下蓋と連結され、上蓋が下蓋側の一端を中心に回動し下蓋が収納部側の一端を中心に回動することにより蓋は開放可能であり、収納部が使用状態の傾斜位置にあるときに、下蓋は収納部底面の下側に回し込まれており、上蓋はその下蓋とケースが置かれている面との間に介在している構成である。このような構成であるから、蓋を開放するときは、まず上蓋を開き次に下蓋を収納部底面の下側に回し込む。したがって、収納されている彫刻刀の柄の収納部からの突出量が大きくても、上蓋を開くときに収納部から突出している柄にその上蓋が当たらない。これにより、柄の収納部からの突出量を大きくすることが可能となり、彫刻刀を引き出すときに指先で柄を摘みやすいのである。また、収納部が使用状態の傾斜位置にあるときに、下蓋は収納部底面の下側に回し込まれており、上蓋はその下蓋とケースが置かれている面との間に介在している。したがって、収納されている彫刻刀を全部引き出しても蓋が回動することがなく、蓋が収納部の開口を塞ぐことがない。これにより、全部の彫刻刀を収納部から出して使用するときにも、ケースを置いたままで再度彫刻刀を収納部に挿入することができる。
【００１５】
請求項２は、下蓋が収納部底面の下側に回し込まれて収納部底面に当接している。したがって、収納部は蓋に確実に支持されており彫刻刀の出し入れ時においてもケースは安定した状態を保つことができる。
【００１６】
請求項３は、収納部が使用状態の傾斜位置にあるときに、下蓋と上蓋とが重なった状態にあり、且つその状態を維持するための上下蓋係止構造が下蓋と上蓋との間に介在している。彫刻刀の使用後に収納部を蓋で閉鎖するときは、まずケースを手で持ち上げてそれが置かれている面から離す。そのときに、上蓋と下蓋が重なった状態で垂下するので、上蓋と下蓋を一緒に手に持つことができる。そして、その手で上蓋と下蓋を開き上蓋をケースの上側に回して収納部の閉鎖の操作をすることができる。すなわち、ケースを手で持ち上げたときに上蓋と下蓋が重なっていてまとまっているので操作が楽なのである。仮に上下蓋係止構造がないときは垂下した下蓋の下側にさらに上蓋が垂下するので同時に上下蓋を持つことができず閉鎖操作がしづらいのである。
【００１７】
請求項４は、蓋が収納部を閉鎖した状態のときに、上蓋と収納部とを係止状態とするための上蓋収納部係止構造が上蓋と収納部の間に介在している。したがって、蓋が収納部を確実に閉鎖することができる。請求項３のように上下蓋係止構造が設けられていれば上蓋収納部係止構造がなくても収納部を閉鎖できる。これは、収納されている彫刻刀の柄によって蓋の回動が規制されるからである。しかし、彫刻刀の柄と蓋の内面との間に隙間があるので、上蓋収納部係止構造がないときはその隙間の分だけ蓋がガタつくのである。上蓋収納部係止構造を設けることにより閉鎖状態の蓋のガタつきを防止して収納部を確実に閉鎖できる。収納部に彫刻刀が収納されていないときも同様に収納部を確実に閉鎖できる。
【００１８】
請求項５は、上下蓋係止構造により重なっている上下蓋がケースから垂れ下がるように収納部を持ったときに、その垂下した上下蓋は鉛直線方向に延びず下蓋の回動中心を通る鉛直線よりも収納部側に傾斜するように延びる。したがって、机などの上にケースを置くときに、上下蓋は収納部側に傾斜しているから上下蓋は自動的に収納部底面の下側に回し込まれて、他方の手で上下蓋を回し込む必要がなくすぐに安定した傾斜位置を得ることができる。
【発明を実施するための最良の形態】
【００１９】
次に本発明を実施するための最良の形態について説明する。図２に示すようにケース１は収納部２と、上蓋３と、下蓋４とから成る。図１２に示すように収納部２は５本の彫刻刀５，５，５，５，５が収納できるように４つの仕切り壁６，６，６，６で仕切られている。収納部２の一端に彫刻刀５を挿入するための開口１１が設けられている。収納されている５本の彫刻刀の刃はすべて異なっているから、刃の形状が外から目視できるように収納部２、特に上面板７は透明なプラスチックで形成されることが好ましい。収納部２は上面板７を含む上部分と底面板１０を含む下部分を合接して形成する。この収納部２の底面板１０を含む下部分と下蓋４と上蓋３とは一体に形成されており、その材料はＰＰ樹脂が主に用いられる。これら底面板１０を含む収納部の下部分と下蓋４と上蓋３をそれぞれ別体に形成し、ヒンジなどで連結してもよい。収納部２の上面板７を含む上部分の材料はＡＳ樹脂が主に用いられる。収納部２の上面板７の表面は波形に形成されている。図１で示すＡ−Ａ線付近では、図３に示すように収納部２の上面板７の表面が波形であるのに対して上面板７の内面は平らに形成されているから、個々の波の中央部分が肉厚となり凸レンズの役目を果たす。したがって、この部分で収納されている彫刻刀の刃を拡大して見ることができるので、使用者にとって彫刻刀が選択しやすい。図１に示す閉鎖状態でのケース１の全長は約１８０ｍｍであり、幅は約１０５ｍｍであるがこれに限定されるものではない。
【００２０】
図６に示すように収納部２の上面板７の内面に凸板８が設けられている。図４又は図５に示すようにこの凸板８は収納部２の幅方向に一連に延びている。彫刻刀５を収納部２に収納したときに、彫刻刀５の柄９の一部が凸板８に当たって、刃が収納部２の先端に衝突することを防止できる。凸板８は上面板７の内面に設けられているから、凸板８の存在によってゴミや埃が溜まることがない。凸板８を底面板１０の内面に設けると凸板８よりも奥に溜まったゴミや埃を取り除くことが困難であり、ゴミや埃が溜まってしまうのである。
【００２１】
図１に示すように、上面板７の開口１１側の端部に半楕円形の凹部１２が設けられている。この凹部１２の部分に指先を入れることにより、閉鎖している上蓋３の端部に指を引っ掛けやすくなり、上蓋３を容易に開放できる。図２に示すように上蓋３の端部に盛り上がり部２７が形成されていて指が掛かりやすいので、さらに上蓋３の開放が容易である。凹部１２の形状は半楕円形に限定されることはなく矩形でも半円などでもよい。さらに、図８に示すように収納部２の側面板１４の開口１１寄り部分には係止孔１３が設けられている。これは後述するように、閉鎖した上蓋３が開かないように係止するためのものである。
【００２２】
図１４に示すように下蓋４はヒンジ１５を介して収納部２の底面板１０と連結している。図１５は図１４におけるヒンジ１５の周囲を円で囲んで拡大した断面図である。図１５に示すようにヒンジ１５は収納部２及び下蓋４の下側に突出していないから、蓋を閉鎖して机の上などに置いたときにガタつかない。さらに、ヒンジ１５は下蓋４の厚みに対して非常に薄く、例えば０．１ｍｍ〜０．６ｍｍ程度の厚みにすれば撓みやすい。特に好ましい厚みは約０．２ｍｍである。ヒンジ１５が撓みやすいので、下蓋４が収納部２から垂れ下がる状態にしたときに、下蓋４は振り子のように容易に揺動する。図８に示すように、下蓋４の側面板１６のヒンジ１５寄り部分には係止孔１７が設けられている。これは、後述するように、上蓋３との重ねた状態を維持するためのものである。
【００２３】
図１４に示すように上蓋３はヒンジ１８を介して下蓋４と連結している。上蓋３の側面板１９にはその側面板１９からはみ出す係合板部２４が一体に形成されている。その係合板部２４の内面には係止突起２０，２１が設けられている。収納部２の係止孔１３の周囲に段差２２が設けられており、係止孔１３を含むその周囲の表面が前記係合板部２４の厚みの分だけ低くなって上蓋係合面２５が形成されている。同様に、下蓋４の係止孔１７の周囲に段差２３が設けられており、係止孔１７を含むその周囲の表面が前記係合板部２４の厚みの分だけ低くなって上蓋係合面２６が形成されている。収納部２の開口１１を閉鎖するために上蓋３と下蓋４とを重ねたときに、上蓋３の係合板部２４が、収納部２の上蓋係合面２５と下蓋４の上蓋係合面２６に外接する。そのときに係止突起２０が収納部２の係止孔１３に係止し、係止突起２１が下蓋４の係止孔１７に係止して確実に閉鎖することができる。
【００２４】
次に、図２に示すように蓋が閉鎖された状態のケース１を図１３に示す使用状態にする過程についてその一例をとって説明する。ケース１を使用状態とするためには、まず図８に示すように上蓋３がケース１に対して立ち上がるまで回動する。このときに、図２の状態から上蓋３と下蓋４を重ねたままで回動することはできない。収納されている彫刻刀５の柄９に上蓋３が当たって回動が規制されるからである。したがって、まず上蓋３のみを回動する。次に図９に示すように下蓋４を下方に回動する。下蓋４をさらに回動して図１０に示すように下蓋４を収納部２の底面板１０の下側に回し込む。次に図７に示すようにさらに下蓋４を回動し、その下蓋４を収納部２の底面板１０に当接させることによって収納部２を傾斜位置に支持する。収納部２は上下蓋３，４によって持ち上げられて傾斜位置に支持されるが、下蓋４が収納部２の底面板１０に当接しているので、彫刻刀５の柄９後端部の持ち上げ高さは重ねられた上下蓋３，４の合計の高さよりも大きくなる。したがって、収納部２は使用しやすい高さの傾斜位置に支持される。この状態が使用状態となり、柄９の後端部が十分な高さに持ち上げられているので、彫刻刀５の柄９を指先で摘んで引き出すときに、手が机の上に当たることがなく手が邪魔にならず引き出しやすい。
【００２５】
なお、使用状態はこの形態に限定されるものではなく、下蓋４が収納部２の底面板１０に当接しない状態の使用状態であってもよい。すなわち、下蓋４が収納部２の底面板１０に当接するまで回動せず回動をその途中で止める手段を設けて収納部２を支持してもよい。さらに、上蓋３と下蓋４を重ねた状態で係止するための係止孔１３，１７や係止突起２０，２１のような係止構造が存在しなくてもよい。すなわち、上蓋３と下蓋４が図７のように閉じて重ならなくてもよい。そのときは、例えば上蓋３と下蓋４は少し開いて上蓋３の盛り上がり部２７は机などの上面に接地する。
【００２６】
図１３に示すように、収納部２から外に突出している彫刻刀５の柄９は下蓋４の中に納まればよいので、柄９の突出量は下蓋４の長さから下蓋４の厚みを引いた分の長さとすることができる。したがって、下蓋４の長さを大きめとすることにより彫刻刀５の柄９の突出量を十分大きくすることができる。これにより、指先で柄９が摘みやすくなり彫刻刀５を容易に引き出すことができる。
【００２７】
ケース１を使用状態とする過程で、図１１に示すように上蓋３と下蓋４を重ねて係止することによりその重ねた上下蓋３，４が垂れ下がると、上下蓋３，４は鉛直線方向に垂れ下がらず、ヒンジ１５を通る鉛直線よりも収納部２側に傾斜して垂れ下がる。この状態で上下蓋３，４の重心がヒンジ１５を通る鉛直線に一致するからである。このように、上下蓋３，４が収納部２側に傾斜しているので、机などの上に載せるときに手で上下蓋３，４を収納部２側に傾斜させなくても、ケース１を机の上におけば上下蓋３，４は自然に回動して図７に示す使用状態とすることができて便利である。
【００２８】
図１６は図１４におけるヒンジ１８の周囲を円で囲んで拡大した断面図である。ヒンジ１８は上蓋３と下蓋４を連結する部分であり、上蓋３と下蓋４を重ねたときに接触する接面２８，２９を図１６のように面一にしたときにその接面２８，２９よりも下方に設けられている。そして、ヒンジ１８の厚みは中央部よりもその両側の方が肉厚になるように形成されている。したがって、上下蓋３，４を重ねるとヒンジ１８は図１１に示すように外側に突出する。このようにヒンジ１８が突出しているので、ケース１を机の上に置こうとするときに何らかの理由で重なった上下蓋３，４がやや鉛直線方向に近い状態となっても、ヒンジ１８が上下蓋３，４の反時計回りの回動を阻止して確実に使用状態とすることができる。また、図１１に示すように上蓋３の角部３０が凸の湾曲面に形成されその半径が比較的大きいので、重なった上下蓋３，４は円滑に時計回りに回動しやすい。
【図面の簡単な説明】
【００２９】
【図１】蓋を閉鎖した状態のケースの上面図
【図２】蓋を閉鎖した状態のケースの側面図
【図３】図１におけるＡ−Ａ断面図
【図４】図１におけるＢ−Ｂ断面図
【図５】図１におけるＣ−Ｃ断面図
【図６】図１におけるＤ−Ｄ断面図
【図７】使用状態を示す側面図
【図８】使用状態にするまでの過程−１
【図９】使用状態にするまでの過程−２
【図１０】使用状態にするまでの過程−３
【図１１】蓋が垂れ下がった状態を示す側面図
【図１２】使用状態の上面図
【図１３】使用状態の斜視図
【図１４】蓋を展開した状態の側面図
【図１５】図１４における収納部と下蓋の間のヒンジを示す拡大断面図
【図１６】図１４における上蓋と下蓋の間のヒンジを示す拡大断面図
【符号の説明】
【００３０】
１  ケース
２  収納部
３  上蓋
４  下蓋
５  彫刻刀
６  仕切り壁
７  収納部の上面板
８  凸板
９  彫刻刀の柄
１０  収納部の底面板
１１  開口
１２  凹部
１３  係止孔
１４  収納部の側面板
１５  ヒンジ
１６  下蓋の側面板
１７  係止孔
１８  ヒンジ
１９  上蓋の側面板
２０  係止突起
２１  係止突起
２２  段差
２３  段差
２４  係合板部
２５  上蓋係合面
２６  上蓋係合面
２７  盛り上がり部
２８  接面
２９  接面
３０  上蓋の角部
【図１】
2007307091.tif 000003
【図２】
2007307091.tif 000004
【図３】
2007307091.tif 000005
【図４】
2007307091.tif 000006
【図５】
2007307091.tif 000007
【図６】
2007307091.tif 000008
【図７】
2007307091.tif 000009
【図８】
2007307091.tif 000010
【図９】
2007307091.tif 000011
【図１０】
2007307091.tif 000012
【図１１】
2007307091.tif 000013
【図１２】
2007307091.tif 000014
【図１３】
2007307091.tif 000015
【図１４】
2007307091.tif 000016
【図１５】
2007307091.tif 000017
【図１６】
2007307091.tif 000018